(57)【特許請求の範囲】
【請求項１】
液透過性のトップシートと、液不透過性のバックシートと、これら両シート間に配置される吸収体とを具備し、実質的に縦長に形成されてなり、幅方向中央部に位置する中央吸収体部、及び該中央吸収体部の長手方向左右両側にそれぞれ位置する一対のサイドフラップを有する男性用使い捨ておむつにおいて、
一方の上記サイドフラップは、トップシート同士が当接するように該トップシート側に向けて折り返され且つ上記中央吸収体部に固定されて、止着部を形成しており、
上記止着部の表面には、細帯状のおむつ組み立て用の固着部がおむつの長手方向に沿って設けられており、
上記固着部は、その一端がおむつの一端縁の近傍に位置し且つその他端がおむつの長手方向に対する中心線よりもおむつの他端側に位置するように設けられており、
上記中央吸収体部における上記バックシートの表面には、おむつ固定用の粘着部が設けられており、
上記固着部及び上記粘着部は、それぞれ剥離紙により被覆されており、
上記固着部は、その坪量を上記粘着部の坪量よりも高くすることにより、該固着部の粘着力が該粘着部の粘着力よりも高くなっている、
ことを特徴とする男性用使い捨ておむつ。
【請求項２】
上記粘着部は、おむつをその長手方向に３等分した際の上記のおむつの一端縁側の略中央部に設けられている、
ことを特徴とする請求項１記載の男性用使い捨ておむつ。
【請求項３】
他方の上記サイドフラップに、弾性部材を配して形成されたギャザーが設けられていることを特徴とする請求項１記載の男性用使い捨ておむつ。
【発明の詳細な説明】
【０００１】
【産業上の利用分野】
本発明は、装着が容易であり且つ液モレ防止性に優れた男性用使い捨ておむつに関する。
【０００２】
【従来の技術及び発明が解決しようとする課題】
従来より、男性性器を包んで使用するタイプの男性用使い捨ておむつは、種々提案されており、代表的なものとして図１に示すもの等が挙げられる。
ここで、図１は、男性用使い捨ておむつの従来例を示す図面であり、図１（ａ）は、従来の男性用使い捨ておむつを示す斜視図であり、図１（ｂ）は、図１（ａ）に示す男性用使い捨ておむつを組み立てる過程を示す斜視図であり、図１（ｃ）は、図１（ａ）に示す男性用使い捨ておむつの使用状態を示す斜視図である。
【０００３】
図１（ａ）に示すように、従来の男性用使い捨ておむつ１０１は、液透過性のトップシート１０２と、液不透過性のバックシート１０３と、これら両シート間に配置される吸収体（図示せず）とを具備し、実質的に縦長に形成されている。また、上記トップシート１０２とバックシート１０３と上記吸収体とにより形成され、幅方向中央部に位置する中央吸収体部１１０、及び、上記トップシート１０２と上記バックシート１０３とにより形成され、該中央吸収体部１１０の長手方向左右両側にそれぞれ位置する一対のサイドフラップ１２０を有する。
また、上記サイドフラップ１２０には、それぞれ、その長手方向略中央部に弾性部材１２２が配されてギャザー１２１が形成されている。                  そして、上記男性用使い捨ておむつ１０１を使用する際には、図１（ｂ）に示すように、おむつの一端を上記トップシート１０２側に折り曲げ、更に他端を該一端のバックシート上に折り重ね、粘着剤を塗布して形成された固着部１３０を介しておむつを固定して、図１（ｃ）に示すようにサック状とし、更に、粘着部１４０を介して他の使い捨ておむつや下着に粘着させることにより使用していた。
【０００４】
しかし、上述の従来の男性用使い捨ておむつは、該おむつの組み立て状態を維持するために、上記固着部の粘着力の方が該上記粘着部の粘着力よりも強くなされているが、おむつを組み立てる際に該粘着部と該固定部とを間違え易いために、装着中におむつが外れやすいという問題及び該男性用使い捨ておむつを他の使い捨ておむつ等に強固に固定してしまい剥がすのが困難となるという問題等があった。
また、上記の粘着部は、矩形状のものがバックシートの一部に設けられているのみであったために、サック状に組み立てても先端部に隙間が生じてしまい液漏れが生じるという問題があった。
【０００５】
従って、本発明の目的は、装着時におむつの組み立てを間違えなく行うことができ、しかも液漏れの生じにくい男性用使い捨ておむつを提供することにある。
【０００６】
【課題を解決するための手段】
本発明者らは、上記課題を解決すべく鋭意検討を行った結果、液透過面側に粘着部を設けた男性用使い捨ておむつが、上記目的を達成し得ることを知見した。
【０００７】
本発明は、上記知見に基づいてなされたものであり、液透過性のトップシートと、液不透過性のバックシートと、これら両シート間に配置される吸収体とを具備し、実質的に縦長に形成されてなり、幅方向中央部に位置する中央吸収体部、及び該中央吸収体部の長手方向左右両側にそれぞれ位置する一対のサイドフラップを有する男性用使い捨ておむつにおいて、一方の上記サイドフラップは、トップシート同士が当接するように該トップシート側に向けて折り返され且つ上記中央吸収体部に固定されて、止着部を形成しており、上記止着部の表面には、細帯状のおむつ組み立て用の固着部がおむつの長手方向に沿って設けられており、上記固着部は、その一端がおむつの一端縁の近傍に位置し且つその他端がおむつの長手方向に対する中心線よりもおむつの他端側に位置するように設けられており、上記中央吸収体部における上記バックシートの表面には、おむつ固定用の粘着部が設けられており、上記固着部及び上記粘着部は、それぞれ剥離紙により被覆されており、上記固着部は、その坪量を上記粘着部の坪量よりも高くすることにより、該固着部の粘着力が該粘着部の粘着力よりも高くなっている、ことを特徴とする男性用使い捨ておむつを提供するものである。
【０００８】
【作用】
本発明の男性用使い捨ておむつは、一方の上記サイドフラップがトップシート側に折り返され且つその少なくとも両端好ましくは折り返し部全面が固定されて止着部を形成しており、該止着部の表面に固着部が設けられているので、おむつの裏面側（バックシート側）を確認することなく、おむつの装着操作を行うことができる。
【０００９】
【実施例】
以下、本発明の男性用使い捨ておむつを実施例により更に詳細に説明する。
本発明の男性用使い捨ておむつの１実施例について、図２〜図４を参照して説明する。
ここで、図２は、本発明の男性用使い捨ておむつの１実施例を示す一部破断斜視図であり、図３は、図２に示す男性用使い捨ておむつのＩ−Ｉ断面図である。また、図４は、図２に示す男性用使い捨ておむつを組み立てる過程を示す斜視図であり、図５は、図２に示す男性用使い捨ておむつの使用状態を示す斜視図である。
【００１０】
図２及び図３に示す本実施例の男性用使い捨ておむつ１は、液透過性のトップシート２と、液不透過性のバックシート３と、これら両シート間に配置される吸収体４とを具備し、実質的に縦長に形成されてなり、幅方向中央部に位置する中央吸収体部１０、及び該中央吸収体部１０の長手方向左右両側にそれぞれ位置する一対のサイドフラップ２０を有する。
【００１１】
更に詳述すると、上記中央吸収体部１０は、上記トップシート２と上記バックシート３と上記吸収体４とを従来公知の方法により一体に貼り合わせて形成されており、一対の上記サイドフラップ２０は上記トップシート２と上記バックシート３とを、ヒートシール法等により一体に貼り合わせて形成されている。
【００１２】
また、上記トップシート２、上記バックシート３及び上記吸収体４を形成する材料としては、それぞれ下記するものを用いることができる。
【００１３】
上記トップシート２の材料としては、排泄物を吸収体４へ透過させる液透過性シートで肌着に近い感触を有したものが好ましく、このような液透過性シートとしては、例えば、織布、不織布、多孔性フィルム等が好ましく挙げられる。また、上記トップシート２には、その周縁部にシリコン系油剤、パラフィンワックス等の疎水性化合物を塗布する方法や、あらかじめアルキルリン酸エステルのような親水性化合物を全面に塗布し、次いでその周縁を温水で洗浄する方法により撥水処理を施し、周縁部における尿等のにじみによるモレを防止することができる。
【００１４】
上記バックシート３の材料としては、ポリエチレン等のポリオレフィン等からなるフィルム等が用いられ、好ましくは熱可塑性樹脂にフィラーを加えて延伸した液不透過性かつ蒸気を透過させる蒸気透過性のシートが用いられ、肌着に近い感触を有したもの、たとえば、バックシートにエンボス処理を施こしたもの、フィルムと不織布との複合材、あるいはフィルムと織布との複合材料等が用いられる。
【００１５】
上記吸収体４の材料としては、解繊パルプを主材とし、高分子吸水ポリマーを併用したものが好ましく、その他熱可塑性樹脂、セルロース繊維、あるいは高分子吸水ポリマーの混合物に熱処理したものが好ましい。高分子吸水ポリマーの存在位置は、上層、中層、下層のいずれであってもよく、パルプと混合したものであっても良い。高分子吸水ポリマーは自重の２０倍以上の液体を吸収して保持する性能を有し、ゲル化する性質を有する粒子状のものが好ましく、このような高分子吸水ポリマーとしては、デンプン−アクリル酸（塩）グラフト共重合体のケン化物、ナトリウムカルボキシメチルセルロースの架橋物、アクリル酸（塩）重合体等が好ましい。
【００１６】
而して、本実施例の男性用使い捨ておむつ１においては、図２に示すように、一方の上記サイドフラップ２０は、トップシート２同士が当接するように該トップシート２側に向けて折り返され且つ上記中央吸収体部１０に固定されて、止着部２０’を形成しており、上記止着部２０’の表面には、細帯状のおむつ組み立て用の固着部３０がおむつの長手方向に沿って設けられており、上記中央吸収体部１０における上記バックシート３の表面には、おむつ固定用の粘着部４０が設けられており、上記固着部３０及び上記粘着部４０は、それぞれ剥離紙３１，４１（図４参照）により被覆されている。
【００１７】
更に詳述すると、上記止着部２０’は、上記中央吸収体部１０の側縁部に沿って折り返されており、その全面が粘着剤２５（図３参照）を介して上記中央吸収体部１０に固定されている。
【００１８】
また、上記固着部３０は、その一端２０ｄがおむつの一端縁２０ｃの近傍に位置し且つその他端２０ｆがおむつの長手方向に対する中心線２０ｅよりもおむつの他端２０ｇ側に位置するように設けられている。そして、上記一端２０ｄと上記一端縁２０ｃとの間隔Ｌは、０〜１００ｍｍであるのが好ましく、上記他端２０ｆと上記中心線２０ｅとの間隔Ｎは、０〜３０ｍｍであるのが好ましく、また上記固着部３０の長さＭ＋Ｎは、７５〜２１５ｍｍであるのが好ましく、８５〜２１５ｍｍであるのが更に好ましい。
このように、上記固着部３０は、その他端２０が上記中心線２０より若干おむつの他端縁２０ｇ側に位置するのが好ましいが、あまり他端縁２０ｇ側にあると該固着部３０がサック先端（おむつの内側）に露出するので好ましくない。
【００１９】
また、上記固着部３０は、上記止着部２０’上に粘着剤を塗布することにより形成されている。該固着部３０は、上記粘着部４０よりも強固に粘着する粘着剤により形成されており、該固着部３０を形成する上記粘着剤としては、ゴム系ホットメルト接着剤等が挙げられる。
【００２０】
また、上記粘着部４０は、おむつをその長手方向に３等分した際のおむつの上記一端縁２０ｃ側（上記固着部３０が設けられている部分）の略中央部における、上記バックシート３の表面に設けられている。上記粘着部が上記固着部３０が設けられている上記一端縁２０ｃ側に設けられていることにより、おむつを組み立てる際にいちいちおむつの裏面側（バックシート側）を確認することなく、おむつの組み立てを間違わずに行うことができる。また、該粘着部４０は、上記バックシート３上に粘着剤を塗布することにより形成されており、該粘着剤としては、ゴム系ホットメルト接着剤等が挙げられる。
また、上記固着部３０と上記粘着部４０とは両者ともに同じ粘着剤を用いることもできるが、両者の坪量を異にすることにより、粘着力の差を出すことができ、上記固着部３０の坪量を高くすることにより該固着部３０の粘着力を高くしている。
【００２１】
また、他方の上記サイドフラップ２０の長手方向略中央部には、弾性部材２２が配されて、ギャザー２１が形成されている。この際用いることができる上記弾性部材２１としては、通常使い捨ておむつ等の吸収性物品に用いられる弾性部材であれば特に制限なく用いることができるが、その形状は紐状であるのが好ましい。
このように上記ギャザー２１が形成されることにより、図３に示すように、該ギャザー２１によってトップシート側に起立された立体ガード２３が形成され、しかも、この立体ガード２３は、図５に示すようにおむつを組み立てた状態において起立する度合いが高くなるので、より効果的に液漏れを防止する。
【００２２】
そして、上記男性用使い捨ておむつ１は、まず、図４に示すように、上記剥離紙３１を剥がして固着部３０を露出させた後、上記止着部２０’側の上記中心線２０ｅ近傍を中心点として上記他端２０ｇを斜めに折り畳み、次いで、図５に示すように、上記一端２０ｃ側を、固着部３０が上記他端２０ｇを折り返して形成された折曲部２３に沿うように折り返して、先の尖ったサック状とし、更に上記剥離紙４１を剥がして粘着部４０を露出させることにより、使用に供することができる。
【００２３】
本発明の男性用使い捨ておむつ１は、上述のように構成されているので、図１に示すような従来のおむつのように、固着部と粘着部との位置を確認しつつおむつを組み立てる必要がないので、おむつの装着操作（おむつの組み立て）を容易に行うことができる。
また、本実施例の男性用使い捨ておむつ１は、上記固着部３０の他端２０ｆがおむつの長手方向に対する中心線２０ｅよりもおむつの他端２０ｇ側に位置するように設けられており、サック状に組み立てた際の尖端部が該固着部３０により粘着固定されているので、液漏れを生じる惧れがなく、また、おむつを組み立てる際の位置決めも容易である。
【００２４】
尚、本発明の弾性用使い捨ておむつは、上記の実施例に何ら限定されるものではなく、本発明の趣旨を逸脱しない範囲で種々変更可能である。
【００２５】
【発明の効果】
本発明の男性用使い捨ておむつは、装着時におむつの組み立てを間違えなく行うことができ、しかも液漏れの生じにくいものである。
【図面の簡単な説明】
【図１】図１は、男性用使い捨ておむつの従来例を示す図面であり、図１（ａ）は、従来の男性用使い捨ておむつを示す斜視図であり、図１（ｂ）は、図１（ａ）に示す男性用使い捨ておむつを組み立てる過程を示す斜視図であり、図１（ｃ）は、図１（ａ）に示す男性用使い捨ておむつの使用状態を示す斜視図である。
【図２】図２は、本発明の男性用使い捨ておむつの１実施例を示す一部破断斜視図である。
【図３】図３は、図２に示す男性用使い捨ておむつのＩ−Ｉ断面図である。
【図４】図４は、図２に示す男性用使い捨ておむつを組み立てる過程を示す斜視図である。
【図５】図５は、図２に示す男性用使い捨ておむつの使用状態を示す斜視図である。
【符号の説明】
１    男性用使い捨ておむつ
２    トップシート
３    バックシート
４    吸収体
１０    中央吸収体部
２０    サイドフラップ
２０’  止着部
２１    ギャザー
２２    弾性部材
３０    固着部
４０    粘着部
【図１】
0003558734.tif 000002
【図２】
0003558734.tif 000003
【図３】
0003558734.tif 000004
【図４】
0003558734.tif 000005
【図５】
0003558734.tif 000006